(57)【要約】      （修正有）【課題】外傷を防ぎ不自由なく自在に使いこなせ、且つ、土を掘り、掘った後の土をスコップのように効率良く掬い上げることのできる作業用手袋を提供する。【解決手段】親指部２４と人差し指部２５と中指部２６と薬指部２７と小指部２８がそれぞれ独立して形成された手袋本体２と、人差し指部２５と中指部２６と薬指部２７と小指部２８に係る各指部の指先寄りの表面２Ｓに、各基端部３１がその指部の幅で個別に被着するようにして一体成形され、且つ各基端部３１から指部の幅を保ってその指先よりも前方に張り出す板状突出部３５がそれぞれ延設される樹脂製突出部材３と、を具備する。各指部２５，２６，２７，２８を他の指部に対し独立して動かせる一方、手袋本体２の手を開いた状態下、隣り合う指部を寄せて指部間の隙間を閉じることにより、その隣り合う指部に設けた各突出部３５で連続する一様な板面を形成する。【選択図】図１
0003168241.tif 000002
【実用新案登録請求の範囲】
【請求項１】
親指部(24)と人差し指部(25)と中指部(26)と薬指部(27)と小指部(28)がそれぞれ独立して形成された手袋本体(2)と、
前記人差し指部(25)と中指部(26)と薬指部(27)と小指部(28)に係る各指部の指先寄りの手の甲側表面(2S)に、各基端部(31)がその指部の幅で個別に被着するようにして一体成形され、且つ各基端部(31)から指部の幅を保ってその指先よりも前方に板状突出部(35)がそれぞれ張り出す樹脂製又はゴム製の突出部材(3)と、を具備し、
前記各指部(25,26,27,28)を他の指部に対し独立して動かせる一方、前記手袋本体(2)の手を開いて指を伸ばした状態下、隣り合う指部を寄せて指部間の隙間(ε)を閉じることにより、その隣り合う指部に設けた各突出部(35)で連続する一様な板面(3a)を形成することを特徴とする作業用手袋。
【請求項２】
前記手袋本体(2)の手を開いた状態下、隣り合う指部を寄せて指部間の隙間(ε)を閉じることにより、前記各突出部(35)の集合体が正面視で先端に向け先細りの舌片状体(36)を形成する請求項１記載の作業用手袋。
【請求項３】
前記突出部材(3)が樹脂製で、且つ前記基端部(31)が、人差し指部(25)と中指部(26)と薬指部(27)と小指部(28)に係る各指先から、前記各指部の指先寄りの手の甲側表面(2S)を含んで、人差し指部(25)と中指部(26)と薬指部(27)と小指部(28)に係る各指部の第一関節相当部位(FK)を越えた地点までの手の甲側表面(2S)に、被着厚みを有して一体成形され、さらに該指部の第一関節相当部位(FK)における該被着厚みを薄皮状にして、該基端部(31)のその部位に屈曲自在のヒンジ部用凹部(32)が形成され、該凹部(32)が指部の長手方向に対し直交する方向に設けられる請求項２記載の作業用手袋。
【請求項４】
前記基端部(31)が、人差し指部(25)と中指部(26)と薬指部(27)と小指部(28)に係る各指先から、人差し指部(25)と中指部(26)と薬指部(27)と小指部(28)に係る各指部の第一関節相当部位(FK)の手前までの指先部に、前記手の甲側の表面(2S)に加え、手のひら側の表面(2F)にもその指部の幅で個別に被着するようにして一体成形され、手のひら側基端部(31B)が指部の幅を保ってその指先で手の甲側基端部(31A)と一体となり、さらに該指先よりも前方に前記突出部(35)が張り出す請求項３記載の作業用手袋。
【請求項５】
前記基端部(31)が、人差し指部(25)と中指部(26)と薬指部(27)と小指部(28)に係る各指先から、人差し指部(25)と中指部(26)と薬指部(27)と小指部(28)に係る各指部の前記第一関節相当部位(FK)に加え、第二関節相当部位(SK)と基節骨付け根の第三関節相当部位(TK)を越えて手背(2K)の領域までの手の甲側表面(2S)に、被着厚みを有して一体成形され、さらに該指部の第一関節相当部位(FK)に加え、第二関節相当部位(SK)及び第三関節相当部位(TK)における該被着厚みを薄皮状にして、該基端部(31)のその部位に屈曲自在のヒンジ部用凹部(32)が形成され、該凹部(32)が指部の長手方向に対し直交する方向に設けられる請求項３又は４に記載の作業用手袋。
【請求項６】
前記手背(2K)の領域に在る基端部(31)から、手のひらの側縁(23)に沿って外方へ側方張出部(34)を鍔状に張り出し、且つ該側方張出部の張出し端縁(341)を直線状に形成する請求項５記載の作業用手袋。
【請求項７】
前記手袋本体(2)が、原手(2a)と、該原手の少なくとも前記人差し指部(25)と中指部(26)と薬指部(27)と小指部(28)に係る各指部に被着一体化された熱可塑性樹脂からなるコーティング皮膜(2b)とを具備し、さらに前記基端部(31)の少なくとも一部が該コーティング皮膜(2b)と相溶性のある熱可塑性樹脂からなり、且つ該突出部材(3)の基端部(31)が、前記人差し指部(25)と中指部(26)と薬指部(27)と小指部(28)に係る各指部の表面(2S)となる該コーティング皮膜(2b)に一体成形される請求項２乃至６のいずれか１項に記載の作業用手袋。
【請求項８】
前記基端部(31)が、人差し指部(25)と中指部(26)と薬指部(27)と小指部(28)に係る各指先から、人差し指部(25)と中指部(26)と薬指部(27)と小指部(28)に係る各指部の第一関節相当部位(FK)と共に、第二関節相当部位(SK)と基節骨付け根の第三関節相当部位(TK)を越えて手背(2K)の領域までの手の甲側表面(2S)に一体成形され、
且つ該基端部(31)のうち、少なくとも各指部の第一関節相当部位(FK)と第二関節相当部位(SK)と第三関節相当部位(TK)に被着される関節部位被着部分(31J)、及びこれらの相当部位から、人差し指部(25)と中指部(26)と薬指部(27)と小指部(28)に係る各指部の長手方向に対し直交する方向の領域(31RT)が弾性変形できるゴム材で形成される請求項２記載の作業用手袋。
【請求項９】
前記手背(2K)の領域に在る基端部(31)から、手のひらの側縁(23)に沿って外方へ側方張出部(34)を鍔状に張り出し、且つ該側方張出部の張出し端縁(341)を直線状に形成する請求項８記載の作業用手袋。
【考案の詳細な説明】
【技術分野】
【０００１】
本考案は、家庭用の花壇,菜園,庭園等の作業で使用される作業用手袋に関する。
【背景技術】
【０００２】
家庭用の花壇,菜園作業などで、例えば植物の植え付けを行う際は、その都度、スコップを探し、且つこれを手で握って作業をしなければならなかった。スコップを探しあぐねることもあり、時間を浪費することがあった。また、手には手袋を嵌めており、スコップを握った手が滑り易くなる問題もあった。手袋を外せば、作業はし易くなる一方、怪我したり手が汚れてしまったりする不具合を招いた。
こうしたことから、スコップ等を使用せずに植物の植え付けが可能である手袋が提案されている（例えば特許文献１）。
【先行技術文献】
【特許文献】
【０００３】
【特許文献１】特開２０００−１３６４１０号公報
【考案の開示】
【考案が解決しようとする課題】
【０００４】
しかるに、特許文献１の手袋は、作業用のみならず、装飾用,防寒用等の手袋に関するもので、各指部から爪形状の突出部を延ばしただけの手袋にとどまった。家庭園芸等で、スコップ等を使用せずに土を掘って植物の植え付けしようとすると、突出部が爪形状であるために、スコップのように土を効率良く掬い上げることができなかった。さらに、その段落００１３に記載のごとく「指先保護部１１は、指の第１関節から先端側で指先部３の全体を外周側から覆うキャップ形状」であって、隣り合う指部を寄せて指部間の隙間を閉じようようとしても閉じることができなかった。手のひらに掬い取った土が、その隙間からこぼれ易く作業効率が悪かった。
また、特許文献１は、段落０００３の解決課題にみられるように「義爪を指先部の生地に接着剤で接着して装着しているため、義爪と生地の結合度が悪く、作業中に義爪が生地から剥離して脱落する」危惧を解消する発明であった。その課題解決達成のために、請求の範囲に記載のごとく「生地(5)の内周側に、前記各貫通部(15)を連結し且つ前記生地(5)を内周側から覆う内面層(16)を前記各貫通部(15)と一体に形成」する手袋を提供するが、次のような問題をかかえていた。作業者の手の指が剛性のある合成樹脂製内面層(16)に直接触れるので、作業者が異質感,違和感を覚え不自由であった。加えて、作業者の手の指先が当たる部分に、剛性のある合成樹脂製内面層(16)が設けられると、作業者の手の指先が突き当たって痛みを伴い、作業自体が困難になる虞があった。
【０００５】
本考案は上記問題点を解決するもので、家庭用の花壇,菜園,庭園等で、スコップの代用も兼ね備えた作業用手袋で、外傷を防ぐ手袋本来の役目を担って不自由なく自在に使いこなせ、且つ土を掘るだけでなく、掘った後の土をスコップのように効率良く掬い上げることのできる作業用手袋を提供することを目的とする。
【課題を解決するための手段】
【０００６】
上記目的を達成すべく、請求項１に記載の考案の要旨は、親指部(24)と人差し指部(25)と中指部(26)と薬指部(27)と小指部(28)がそれぞれ独立して形成された手袋本体(2)と、前記人差し指部(25)と中指部(26)と薬指部(27)と小指部(28)に係る各指部の指先寄りの手の甲側表面(2S)に、各基端部(31)がその指部の幅で個別に被着するようにして一体成形され、且つ各基端部(31)から指部の幅を保ってその指先よりも前方に板状突出部(35)がそれぞれ張り出す樹脂製又はゴム製の突出部材(3)と、を具備して、前記各指部(25,26,27,28)を他の指部に対し独立して動かせる一方、前記手袋本体(2)の手を開いて指を伸ばした状態下、隣り合う指部を寄せて指部間の隙間(ε)を閉じることにより、その隣り合う指部に設けた各突出部(35)で連続する一様な板面(3a)を形成することを特徴とする作業用手袋にある。
請求項２の考案たる作業用手袋は、請求項１で、手袋本体(2)の手を開いた状態下、隣り合う指部を寄せて指部間の隙間(ε)を閉じることにより、前記各突出部(35)の集合体が正面視で先端に向け先細りの舌片状体(36)を形成することを特徴とする。請求項３の考案たる作業用手袋は、請求項２で、突出部材(3)が樹脂製で、且つ前記基端部(31)が、人差し指部(25)と中指部(26)と薬指部(27)と小指部(28)に係る各指先から、前記各指部の指先寄りの手の甲側表面(2S)を含んで、人差し指部(25)と中指部(26)と薬指部(27)と小指部(28)に係る各指部の第一関節相当部位(FK)を越えた地点までの手の甲側表面(2S)に、被着厚みを有して一体成形され、さらに該指部の第一関節相当部位(FK)における該被着厚みを薄皮状にして、該基端部(31)のその部位に屈曲自在のヒンジ部用凹部(32)が形成され、該凹部(32)が指部の長手方向に対し直交する方向に設けられることを特徴とする。
請求項２記載の作業用手袋。
請求項４の考案たる作業用手袋は、請求項３で、基端部(31)が、人差し指部(25)と中指部(26)と薬指部(27)と小指部(28)に係る各指先から、人差し指部(25)と中指部(26)と薬指部(27)と小指部(28)に係る各指部の第一関節相当部位(FK)の手前までの指先部に、前記手の甲側の表面(2S)に加え、手のひら側の表面(2F)にもその指部の幅で個別に被着するようにして一体成形され、手のひら側基端部(31B)が指部の幅を保ってその指先で手の甲側基端部(31A)と一体となり、さらに該指先よりも前方に前記突出部(35)が張り出すことを特徴とする。請求項５の考案たる作業用手袋は、請求項３又は４で、基端部(31)が、人差し指部(25)と中指部(26)と薬指部(27)と小指部(28)に係る各指先から、人差し指部(25)と中指部(26)と薬指部(27)と小指部(28)に係る各指部の前記第一関節相当部位(FK)に加え、第二関節相当部位(SK)と基節骨付け根の第三関節相当部位(TK)を越えて手背(2K)の領域までの手の甲側表面(2S)に、被着厚みを有して一体成形され、さらに該指部の第一関節相当部位(FK)に加え、第二関節相当部位(SK)及び第三関節相当部位(TK)における該被着厚みを薄皮状にして、該基端部(31)のその部位に屈曲自在のヒンジ部用凹部(32)が形成され、該凹部(32)が指部の長手方向に対し直交する方向に設けられることを特徴とする。
請求項６の考案たる作業用手袋は、請求項５で、手背(2K)の領域に在る基端部(31)から、手のひらの側縁(23)に沿って外方へ側方張出部(34)を鍔状に張り出し、且つ該側方張出部の張出し端縁(341)を直線状に形成することを特徴とする。請求項７の考案たる作業用手袋は、請求項２〜６で、手袋本体(2)が、原手(2a)と、該原手の少なくとも前記人差し指部(25)と中指部(26)と薬指部(27)と小指部(28)に係る各指部に被着一体化された熱可塑性樹脂からなるコーティング皮膜(2b)とを具備し、さらに前記基端部(31)の少なくとも一部が該コーティング皮膜(2b)と相溶性のある熱可塑性樹脂からなり、且つ該突出部材(3)の基端部(31)が、前記人差し指部(25)と中指部(26)と薬指部(27)と小指部(28)に係る各指部の表面(2S)となる該コーティング皮膜(2b)に一体成形されることを特徴とする。
請求項８の考案たる作業用手袋は、請求項２で、基端部(31)が、人差し指部(25)と中指部(26)と薬指部(27)と小指部(28)に係る各指先から、人差し指部(25)と中指部(26)と薬指部(27)と小指部(28)に係る各指部の第一関節相当部位(FK)と共に、第二関節相当部位(SK)と基節骨付け根の第三関節相当部位(TK)を越えて手背(2K)の領域までの手の甲側表面(2S)に一体成形され、且つ該基端部(31)のうち、少なくとも各指部の第一関節相当部位(FK)と第二関節相当部位(SK)と第三関節相当部位(TK)に被着される関節部位被着部分(31J)、及びこれらの相当部位から、人差し指部(25)と中指部(26)と薬指部(27)と小指部(28)に係る各指部の長手方向に対し直交する方向の領域(31RT)が弾性変形できるゴム材で形成されることを特徴とする。請求項９の考案たる作業用手袋は、請求項８で、手背(2K)の領域に在る基端部(31)から、手のひらの側縁(23)に沿って外方へ側方張出部(34)を鍔状に張り出し、且つ該側方張出部の張出し端縁(341)を直線状に形成することを特徴とする。
【考案の効果】
【０００７】
本考案の作業用手袋は、五本の指をそれぞれ独立して動かすことができ、外傷を防ぐ手袋本来の役目を担って不自由なく自在に使いこなせ、さらに、突出部材で、土を掘るだけでなく、掘った後の土をスコップのように効率良く掬い上げることができなど、家庭用の花壇,菜園,庭園等の作業に優れた効果を発揮する。
【図面の簡単な説明】
【０００８】
【図１】実施形態１の作業用手袋で、手袋本体の手を開いて、指部間の隙間を閉じた手の甲側の正面図である。
【図２】図１の指部間の隙間を開いた作業用手袋の正面図である。
【図３】図１の左側面図である。
【図４】図２のIV-IV線矢視図である。
【図５】図４の状態から第一関節相当部位で指部を折り曲げた断面図である。
【図６】手のひら側にあたる手袋本体の突出部周りの拡大裏面図である。
【図７】図４のVII-VII線矢視図である。
【図８】実施形態２の作業用手袋で、図７に対応する横断面図である。
【図９】実施形態３の作業用手袋で、図１に対応する正面図である。
【図１０】実施形態３の作業用手袋で、図２に対応する正面図である。
【図１１】実施形態４の作業用手袋で、手袋本体の手を開いて、指部間の隙間を閉じた手の甲側の正面図である。
【図１２】図１１の左側面図である。
【図１３】図１１のIII-III線矢視図である。
【図１４】図１３のIV-IV線矢視図である。
【図１５】実施形態５の作業用手袋で、手袋本体の手を開いて、指部間の隙間を閉じた手の甲側の正面図である。
【考案を実施するための形態】
【０００９】
以下、本考案に係る作業用手袋について詳述する。
（１）実施形態１
図１〜図７は本考案の作業用手袋の一形態で、図１は手袋本体の手を開いて、指部間の隙間を閉じた手の甲側の正面図、図２は図１の指部間の隙間を開いた作業用手袋の正面図、図３は図１の左側面図、図４は図２のIV-IV線矢視図、図５は図４の状態から第一関節相当部位で指部を折り曲げた断面図、図６は手袋本体の手のひら側から突出部周りを見た拡大裏面図、図７は図４のVII-VII線矢視図を示す。
【００１０】
作業用手袋１は、手袋本体２と突出部材３とを具備する。
手袋本体２は、花壇,園芸等の作業用に使用される手袋で、指一本ずつ覆うようにできているグラブと称される公知品である。親指部２４と人差し指部２５と中指部２６と薬指部２７と小指部２８がそれぞれ独立して形成されたグラブ型原手２ａからなる。親指部２４,人差し指部２５,中指部２６,薬指部２７,小指部２８に、作業者の手ＨＤの五本の指がそれぞれ挿入できる手袋本体２になっている。本実施形態に係る花壇,園芸などの作業で用いられる手袋本体２は綿糸で編んだ軍手であるが、手のひら側２２を滑りにくい素材で形成した複合構造品であってもよい。また、手のひら側２２に滑り止め突起を複数形成したものでもよい。符号２０は作業者が手袋本体２を装着する際の手ＨＤの挿入口を示す。
【００１１】
突出部材３は基端部３１と突出部３５を備える樹脂製又はゴム製の成形品で、本実施形態は樹脂製成形品である(図１,図３)。突出部材３は、人差し指部２５と中指部２６と薬指部２７と小指部２８に係る各指部の指先２５ａ〜２８ａ寄りの手の甲側表面２Ｓに、各基端部３１がその指部の幅Ｗ２５〜Ｗ２８で個別に被着するようにして一体成形される（図２,図６）。具体的には、各基端部３１がその指部の手の甲側２１にあたる箇所に被着するよう一体成形される。成形時には、基端部３１の溶融樹脂が手袋本体２の裏面２Ｒ側へ侵入しないようにしている。各基端部３１は、人差し指部２５と中指部２６と薬指部２７と小指部２８に係る各指部の幅Ｗ２５〜Ｗ２８を保って、人差し指部２５と中指部２６と薬指部２７と小指部２８に係る各指部の表面２Ｓに一体被着する。各基端部３１がその指部の幅で被着するので、基端部３１が指部の幅Ｗ２５〜Ｗ２８全体を有効活用して突出部材３の指部２５〜２８への一体化が強力なものとなる。
【００１２】
本実施形態の基端部３１は、各指部２５〜２８の周方向に対し、図７のように人差し指部２５と中指部２６と薬指部２７と小指部２８に係る上半円部域の手の甲側２１にあたる表面２Ｓに被着する。基端部３１がある各指部２５〜２８の横断面視で見れば、手の甲側にあたる各基端部３１の上縁３１Ｓが図７のごとく円弧状になっている。符号３１ｂは基端部３１の側面で、手背(手の甲)２Ｋの面に対しほぼ垂直面を形成する。基端部３１は、また指部の長手方向に対して、人差し指部２５と中指部２６と薬指部２７と小指部２８に係る各指先２５ａ〜２８ａから、人差し指部２５と中指部２６と薬指部２７と小指部２８に係る各指部の第一関節相当部位ＦＫを越えた地点までの甲側表面２Ｓに、所定の被着厚みを有して一体成形される。さらに、指部２５〜２８の第一関節相当部位ＦＫにおける該被着厚みは薄皮状にして、基端部３１のその部位に屈曲自在のヒンジ部用凹部３２が形成される。該凹部３２は指部の長手方向に対し直交する方向の領域３１ＲＴ、すなわち指部周方向に設けられる(図３)。樹脂製基端部３１の表面を窪ませた凹部３２の箇所は、その部分の基端部３１の肉厚が薄くなってヒンジ機能を発揮する。基端部３１が、指先２５ａ〜２８ａから第一関節相当部位ＦＫを越えた甲側表面２Ｓまでの指部２５〜２８の長手方向区域に設けられていても、凹部３２が在るため、図５のごとく、第一関節相当部位ＦＫで自在に折り曲げ可能になっている。手ＨＤの第一関節部に相当する第一関節相当部位ＦＫで折り曲げることができる。図４,図５は中指部２６について図示するが、図４の状態から図５の折り曲げ状態へと容易に変化させることができる。図中、符号ＳＤは中指、符号ＳＫは第二関節相当部位を示す。他の人差し指部２５等でも同様の構成になっている。
そして、各基端部３１からは突出部３５がそれぞれ延設される。
【００１３】
突出部３５は、突出部材３の主要部を構成する板状部で、外圧に耐える所定板厚を有して、各基端部３１から指部の幅をそのまま保って各指部２５〜２８の指先２５ａ〜２８ａよりも前方(外方)へ張り出す。本実施形態の人差し指突出部３５５,中指突出部３５６,薬指突出部３５７,小指突出部３５８は、図３のように前方に向け手のひら側２２にやや下降傾斜する。各基端部３１から指部の幅を保ってその指先よりも前方に板状突出部３５がそれぞれ延設される。そうして、前記各指部２５,２６,２７,２８を他の指部に対し独立して動かせる一方、前記手袋本体２の手を開いた状態下、隣り合う指部を寄せて指部２５〜２８間の隙間εを閉じることにより、その隣り合う指部に設けた各突出部３５で連続する一様な板面３ａを形成する(図１,図６)。基端部３１の側壁３１ｂ同士が当接すると、突出部３５の側壁３５ｂ同士も当接して隙間εを閉じて、隣り合う指部に設けた各突出部３５で連続する一様な板面３ａを手のひら側２２に形成するので(図３,図６)、複数の突出部３５で形成する板面３ａが大きくなる。四本の指部２５〜２８を寄せて指部２５〜２８間の隙間εを閉じれば、四本の突出部３５全てで形成する板面３ａはスコップを代用できる大きさになる。その大きな板面３ａで、スコップのように土を効率良く掬い上げることができる。しかも、隣り合う指部を寄せて指部２５〜２８間の隙間εが閉じられるので、特許文献１のように掬い取った土が隙間からこぼれ落ちることがない。さらに、ここでの各突出部３５は、手のひら側２２の板面３ａを平坦面としており、四本の指部２５〜２８を寄せて指部間の隙間εを閉じることにより、各突出部３５がつくる連続する一様な板面３ａは、図３,図６のごとくの大きな平坦面になり、より効果的に土を掬い上げることができるようになっている。隙間εを閉じて、四本の指部２５〜２８を揃えた時、移植用スコップ(ショベル)のような形状とする。各突出部３５は、手のひら側の板面３ａをゆるやかな平滑湾曲面としてもよい。そうすれば、四本の指部を寄せて指部２５〜２８間の隙間εを閉じることにより、各突出部３５がつくる一様な板面３ａが、大きな平滑湾曲面になる。図３,図４の側面視で、突出部の突端３５ａを鋭角にすると、地面に容易に突き刺して土を掬えることができ、より好ましくなる。図中、符号３５Ｍは突出部３５の突出外周縁、符号３３は基端部３１の基端縁を示す。
【００１４】
本実施形態は、さらに前記手袋本体２の手を開いた状態下、隣り合う指部を寄せて指部２５〜２８間の隙間εを閉じることにより、前記各突出部３５の集合体が正面視で先端に向け先細りの舌片状体３６を形成する。図１,図６のごとく、指部間の隙間εを閉じることにより突出部３５の集合体が正面視で先端に向け先細りの舌片状体３６を形成するので、土を効率良く掬い上げることができるだけでなく、土を効果的に掘ることも可能になる。また、隣り合う指部を寄せて指部２５〜２８間の隙間εを少し開き（図２)、鋤のように土を耕すことも可能になる。ここでは、各突出部３５の集合体が図６のごとく正面視で円弧状になって先細りの舌片状体３６を形成するが、特にこれに限定されず、市販のスコップ形状により近づけることもできる。
【００１５】
（２）実施形態２
本実施形態は、図８ごとくの作業用手袋１で、手袋本体２が実施形態１の原手２ａにコーティング皮膜２ｂを一体成形した作業用手袋である。
手袋本体２が、原手２ａと、該原手２ａの少なくとも人差し指部２５と中指部２６と薬指部２７と小指部２８に係る各指部に被着一体化された熱可塑性樹脂からなるコーティング皮膜２ｂと、を具備し、さらに突出部材３の少なくとも一部(ここでは突出部材３の全て)が該コーティング皮膜２ｂと相溶性のある熱可塑性樹脂からなり、該突出部材３が手袋本体２に係るコーティング皮膜２ｂに一体成形される作業用手袋１になっている。
【００１６】
図８は図７に対応する作業用手袋１の断面図を示す。その作業用手袋１に係る手袋本体２は、公知の手袋作製技術を用いて、例えば次のようにして造られる。まず、複数の綿や合成繊維等からなる布地の裁断片を縫製して、グラブタイプの手袋本体２の形をした原手２ａを造る。そして、溶剤に熱可塑性樹脂を溶解させた溶液を準備する。該溶液には顔料,安定剤,酸化防止剤等が適宜添加される。次いで、該原手２ａを原手装着用の成形型に被せ、該溶液に原手２ａの指先からゆっくりと原手の手首近くまで浸漬させる。その後、これを引き上げ、乾燥させて原手２ａの各指部２５〜２８に熱可塑性樹脂からなるコーティング皮膜２ｂが被着した手袋本体２を造る。ここで、前記溶液が原手２ａの内面奥深くに浸透しないよう調整されている。
しかる後、そのコーティング皮膜２ｂと相溶性のある熱可塑性樹脂からなる突出部材３の基端部３１が、人差し指部２５と中指部２６と薬指部２７と小指部２８に係る各指部の表面２Ｓとなる該コーティング皮膜２ｂに一体成形されて、図８ごとくの作業用手袋１となる。例えば圧縮成形用金型を用いて、キャビティにコーティング皮膜２ｂ付き原手２ａをインサートした後、突出部材３をコーティング皮膜２ｂ付き原手２ａと一体化して、作業用手袋１が圧縮成形される。圧縮成形に代え、射出成形等によってもよい。
コーティング皮膜２ｂ,突出部材３に用いられる熱可塑性樹脂は、例えばポリ塩化ビニル樹脂,ポリエチレン樹脂,ポリプロピレン樹脂等で、その種類を問わない。他の構成は実施形態１,２と同様で、その説明を省く。実施形態１,２と同一符号は同一又は相当部分を示す。
【００１７】
（３）実施形態３
本実施形態は、図９,図１０ごとくの作業用手袋１である。図９が図１に対応する各指部を閉じた状態の甲側正面図、図１０が図２に対応する各指部を開いた状態の甲側正面図を示す。ここでの基端部３１は、人差し指部２５と中指部２６と薬指部２７と小指部２８に係る各指先２５ａ〜２８ａから、人差し指部２５と中指部２６と薬指部２７と小指部２８に係る各指部の第一関節相当部位ＦＫの手前までの指部表面２Ｓに、被着厚みを有して一体成形される。第一関節相当部位ＦＫの手前までの指部表面２Ｓであり、基端部３１に凹部３２は存在しない。各基端部３１が実施形態１のものよりも各指部２５〜２８の長手方向で、いずれも短くなっている。各基端部３１が各指部２５〜２８の表面２Ｓに、被着厚みを有して一体成形された作業用手袋１にあって、各基端部３１が各指部表面から剥がれ落ちるようなことがなければ、この作業用手袋１で十分である。実施形態１の作業用手袋１に比べ、人差し指部２５と中指部２６と薬指部２７と小指部２８に係る各指部の長手方向長さが短くなる分、軽量化,低コスト化に貢献する。
他の構成は、実施形態１,２と同様で、その説明を省く。実施形態１,２と同一符号は同一又は相当部分を示す。
【００１８】
（４）実施形態４
本実施形態は、図１１〜図１４ごとくの作業用手袋１である。図１１が図１に対応する各指部を閉じた状態の甲側正面図、図１２が図１１の左側面図、図１３が図１１のIII-III線矢視図、図１４が図１３のIV-IV線矢視図を示す。
実施形態１では、基端部が第一関節相当部位ＦＫを越えて第二関節相当部位ＳＫの手前までで終わっていたが、図１１のように基端部が指先から手背２Ｋの領域にまで達する。基端部３１が、人差し指部２５と中指部２６と薬指部２７と小指部２８に係る各指先から、人差し指部２５と中指部２６と薬指部２７と小指部２８に係る各指部の前記第一関節相当部位ＦＫに加え、第二関節相当部位ＳＫと基節骨付け根の第三関節相当部位ＴＫを越えて手背２Ｋの領域までの手の甲側表面２Ｓに、被着厚みを有して一体成形される(図１１,図１２)。基端部３１と手袋本体２との接合面積が広がるので両者の一体化がより強力なものとなる。突出部材３の成形時に、手袋本体２の裏面２Ｒ側へ突出部材３の溶融樹脂を浸透させて一体化させる必要性はなくなる。
そして、各指部２５〜２８の第一関節相当部位ＦＫに加え、第二関節相当部位ＳＫ及び第三関節相当部位ＴＫにおける被着厚みを薄皮状にして、基端部３１のその部位に屈曲自在のヒンジ部用凹部３２が形成され、該凹部３２が指部の長手方向に対し直交する方向に設けられる。第一関節相当部位ＦＫ,第二関節相当部位ＳＫ,第三関節相当部位ＴＫに凹部３２が形成され、該凹部３２が指部の長手方向に対し直交する方向に設けられている。斯かる構成により、作業者は本作業用手袋１を嵌めて、第一関節,第二関節,第三関節で自在に折り曲げて不自由なく作業ができるようになっている。
【００１９】
また、基端部３１が、人差し指部２５と中指部２６と薬指部２７と小指部２８に係る各指先から、人差し指部２５と中指部２６と薬指部２７と小指部２８に係る各指部の第一関節相当部位ＦＫの手前までの指先部に、前記手の甲側の表面２Ｓに加え、手のひら側の表面２Ｆにもその指部の幅で個別に被着するようにして一体成形される(図１２,図１３)。そして、該基端部３１に係る手のひら側基端部３１Ｂが指部の幅を保ってその指先で手の甲側基端部３１Ａと一体となり、さらに該指先よりも前方に突出部３５が張り出す。手の甲側の表面２Ｓからだけでなく、手のひら側の表面２Ｆからも手袋本体の指先部に基端部が接合一体化するので、手袋本体への基端部の一体化が一層強力なものとなる。
【００２０】
加えて、本作業用手袋は、前記手背２Ｋの領域に在る基端部３１から、手のひらの側縁２３に沿って外方へ側方張出部３４を鍔状に張り出し、且つ該側方張出部の張出し端縁３４１を直線状に形成する。側方張出部３４は所定板厚を有する。側方張出部の張出し端縁３４１が設けられるので、これで土ならしが簡単にできるようになる。
図示を省略するが、本実施形態の作業用手袋も実施形態２と同様、その手袋本体が原手２ａと、該原手の少なくとも人差し指部２５と中指部２６と薬指部２７と小指部２８に係る各指部に被着一体化された熱可塑性樹脂からなるコーティング皮膜２ｂとを備えるものにできる。そして、突出部材３の少なくとも一部が該コーティング皮膜２ｂと相溶性のある熱可塑性樹脂からなり、且つ該突出部材３の基端部３１が、人差し指部２５と中指部２６と薬指部２７と小指部２８に係る各指部の表面２Ｓとなる該コーティング皮膜２ｂに一体成形される作業用手袋とすることができる。尚、本実施形態の甲側基端部３１Ａは実施形態１の基端部３１が該当する。他の構成は、実施形態１,２と同様で、その説明を省く。実施形態１,２と同一符号は同一又は相当部分を示す。
【００２１】
（５）実施形態５
本実施形態は、図１５ごとくの作業用手袋１である。実施形態４では凹部にヒンジ作用を働かせて、作業者が本作業用手袋を嵌めても、第一関節,第二関節,第三関節で折り曲げ可能にしたが、ここでは、該凹部をなしにして、代わってこれらの箇所を弾性変形できるゴム材Ｇで形成する。ゴム材Ｇは合成ゴム材,天然ゴム材を問わない。
【００２２】
具体的には、突出部材３を樹脂製又はゴム製(ここでは、ゴム材Ｇと樹脂材Ｐとの組合せ品)とし、基端部３１が、人差し指部２５と中指部２６と薬指部２７と小指部２８に係る各指先から、人差し指部２５と中指部２６と薬指部２７と小指部２８に係る各指部の第一関節相当部位ＦＫと共に、第二関節相当部位ＳＫと基節骨付け根の第三関節相当部位ＴＫを越えて手背２Ｋの領域までの手の甲側表面２Ｓに一体成形される。そして、該基端部３１のうち、少なくとも各指部の第一関節相当部位ＦＫと第二関節相当部位ＳＫと第三関節相当部位ＴＫに被着される関節部位被着部分３１Ｊ、及びこれらの相当部位から、人差し指部２５と中指部２６と薬指部２７と小指部２８に係る各指部の長手方向に対し直交する方向の領域３１ＲＴが弾性変形可能なゴム材で形成される。ここでは、図１５のごとく、該関節部位被着部分３１Ｊ、及びこれらの相当部位から、人差し指部２５と中指部２６と薬指部２７と小指部２８に係る各指部の長手方向に対し直交する方向の領域３１ＲＴをゴム材にし、他の部分を樹脂材とする。
【００２３】
また、実施形態４と同様、作業用手袋に側方張出部３４を設ける。手背２Ｋの領域に在る基端部３１から、手のひらの側縁２３に沿って外方へ側方張出部３４を鍔状に張り出し、且つ該側方張出部の張出し端縁３４１を直線状に形成する。側方張出部３４は所定板厚を有する。
図示を省略するが、本実施形態の作業用手袋も実施形態２と同様、その手袋本体が原手２ａと、該原手の少なくとも人差し指部２５と中指部２６と薬指部２７と小指部２８に係る各指部に被着一体化された熱可塑性樹脂からなるコーティング皮膜２ｂとを備えるものにできる。そして、突出部材３の少なくとも一部が該コーティング皮膜２ｂと相溶性のある熱可塑性樹脂からなり、且つ該突出部材３の基端部３１が、人差し指部２５と中指部２６と薬指部２７と小指部２８に係る各指部の表面２Ｓとなる該コーティング皮膜２ｂに一体成形される作業用手袋とすることができる。他の構成は、実施形態４と同様で、その説明を省く。実施形態１と同一符号は同一又は相当部分を示す。
【００２４】
（６）効果
このように構成した作業用手袋１は、手袋本体２と突出部材３とを備えるが、手袋本体２が親指部２４と人差し指部２５と中指部２６と薬指部２７と小指部２８がそれぞれ独立して形成され、また、突出部材３の各基端部３１が、人差し指部２５と中指部２６と薬指部２７と小指部２８に係る各指部の指先２５ａ〜２８ａ寄りの表面２Ｓに、被着するようにして一体成形されるので、各指部２５,２６,２７,２８を他の指部に対し独立して動かすことができる。家庭用の花壇,菜園作業などで、例えば植物の植え付けを行う際、グラブタイプと称される軍手などと同じように、各指部２５〜２８を個別に動かして円滑に作業ができる。
その一方で、手袋本体２の手を開いた状態にして、図１,図６のごとく隣り合う指部を寄せて指部２５〜２８間の隙間εを閉じることにより、その隣り合う指部に設けた各突出部３５で連続する一様な板面３ａを形成するので、該板面３ａを使ってスコップのように土を容易に掬い上げることができる。
【００２５】
そして、各基端部３１は、人差し指部２５と中指部２６と薬指部２７と小指部２８に係る各指部の幅Ｗ２５〜Ｗ２８で個別に被着するようにして一体成形されるので、基端部３１(すなわち突出部材３)が各指部２５〜２８の幅Ｗ２５〜Ｗ２８を有効活用して、指部(すなわち手袋本体２)に強力に一体化する。突出部材３が手袋本体２から剥がれ落ちない。
【００２６】
さらに、手袋本体２の手を開いた状態にして、隣り合う指部を寄せて指部間の隙間εを閉じることにより、前記各突出部３５の集合体が正面視で先端に向け先細りの舌片状体３６を形成すると、先端に向け先細りになっていることから(図６)、スコップと同じように地面に突き刺して土を掬うことが簡単にできる。家庭用の花壇,菜園等において、簡単に壷穴を形成し、整地等の作業ができる。
また、手袋本体２の手を開いた状態下、隣り合う指部間の隙間εを開けた状態にすれば、鋤のように土に押し込み耕すこともできる。
【００２７】
加えて、実施形態１のように、基端部３１が、人差し指部２５と中指部２６と薬指部２７と小指部２８に係る各指先２５ａ〜２８ａから、人差し指部２５と中指部２６と薬指部２７と小指部２８に係る各指部の第一関節相当部位ＦＫを越えた地点までの指部表面２Ｓに、被着厚みを有して一体成形され、さらに該指部の第一関節相当部位ＦＫにおける該被着厚みを薄皮状にして、該基端部３１のその部位にヒンジ部用凹部３２が形成され、該凹部３２が指部２５〜２８の長手方向に対し直交する指部周方向に設けられた作業用手袋１とすると、指部に被着一体化する基端部３１の指部方向長さが長くなり、基端部３１(すなわち突出部材３)が指部(すなわち手袋本体２)により強力に一体化する。手荒なまた乱暴な使い方をしても、突出部材３が手袋本体２から脱落しなくなる。その一方で、ヒンジ部用凹部３２が設けられているので、第一関節相当部位ＦＫで各指部２５〜２８を折り曲げることができる。本作業用手袋１を手ＨＤに嵌めても特に支障なく、家庭菜園等の作業を円滑に実施できる。
【００２８】
また、実施形態２のように、手袋本体２が、原手２ａと、該原手２ａの少なくとも前記人差し指部２５と中指部２６と薬指部２７と小指部２８に係る各指部に被着一体化された熱可塑性樹脂からなるコーティング皮膜２ｂとを具備し、さらに突出部材３がコーティング皮膜２ｂと相溶性のある熱可塑性樹脂からなり、且つ突出部材３の基端部３１が、人差し指部２５と中指部２６と薬指部２７と小指部２８に係る各指部の表面２Ｓとなる該コーティング皮膜２ｂに一体成形されると、その一体成形で突出部材３が手袋本体２内に侵入することがなくなる。したがって、手袋本体２の挿入口２０から作業者が手を入れて作業用手袋１を挿着したときに、作業者の手ＨＤの指先が突出部材３に突き当たることはない。特許文献１のように、作業者の手ＨＤの指が剛性のある合成樹脂製内面層に直接触れ、作業者が異質感,違和感を覚え不自由を感じることもない。また、突出部材３がコーティング皮膜２ｂと相溶性のある熱可塑性樹脂からなるので、両者の一体化が磐石なものとなる。本考案の作業用手袋１は、外傷を防ぐ手袋本来の役目を担って不自由なく自在に使いこなすことができる。そして、既述のごとく土を掘るだけでなく、掘った後の土をスコップのように効率良く掬い上げることのできる優れものになっている。
このように、本作業用手袋１は、手袋の機能とスコップの機能を兼ね備えることによって、家庭用の花壇,菜園作業などで、スコップなしで、植物の植え付け等を手軽に且つ快適に行うことができ極めて有益である。
【００２９】
さらに、実施形態４のように、基端部３１が各指先から第一関節相当部位ＦＫ,第二関節相当部位ＳＫ,第三関節相当部位ＴＫを越えて手背２Ｋの領域までの手の甲側表面２Ｓに一体成形されると、手袋本体２との接合面積が増す分、両者の一体化がより強力なものとなる。その一方で、第一関節相当部位ＦＫ,第二関節相当部位ＳＫ,第三関節相当部位ＴＫに屈曲自在のヒンジ部用凹部３２が形成され、その凹部３２が指部の長手方向に対し直交する方向に設けられるので、作業者は本作業用手袋１を嵌めても、第一関節,第二関節,第三関節で不自由なく自在に折り曲げて家庭菜園等の作業が快適にできる。
また、基端部３１が、人差し指部２５と中指部２６と薬指部２７と小指部２８に係る各指部の第一関節相当部位ＦＫの手前までの指先部に、手の甲側の表面２Ｓに加え、手のひら側の表面２Ｆにもその指部の幅で個別に被着するようにして一体成形され、該基端部３１に係る手のひら側基端部３１Ｂが指部の幅を保ってその指先で手の甲側基端部３１Ａと一体となると、手袋本体２への基端部３１(突出部材３)の一体化が一層強力なものとなる。
加えて、本作業用手袋１は、手背２Ｋの領域に在る基端部３１が、手のひらの側縁２３よりも外方へ側方張出部３４を鍔状に張り出し、且つこの側方張出部３４の張出し端縁３４１を直線状に形成するので、突出部３５で掘ったり掬ったりした後の土のデコボコ状態を、張出し端縁３４１を使って平らにならすことが簡単にできる。突出部材３が一人二役をこなす。
【００３０】
さらに、実施形態５のように、基端部３１のうち、少なくとも関節部位被着部分３１Ｊ、及びこれらの相当部位から、人差し指部２５と中指部２６と薬指部２７と小指部２８に係る各指部の長手方向に対し直交する方向の領域３１ＲＴをゴム材にすると、特にヒンジ部用凹部３２を設けなくても、作業者は本作業用手袋を嵌めても、第一関節,第二関節,第三関節で不自由なく自在に折り曲げて家庭菜園等の作業ができる。また、実施形態４と同様、側方張出部が設けられると、家庭園芸等の作業でできた土のデコボコ状態を、張出し端縁３４１を使って平らにならすことが簡単にできる。
【００３１】
尚、本考案においては前記実施形態に示すものに限られず、目的,用途に応じて本考案の範囲で種々変更できる。手袋本体２,原手２ａ,コーティング皮膜２ｂ,突出部材３,基端部３１,突出部３５等の形状,大きさ,個数,材質等は用途に合わせて適宜選択できる。本作業用手袋１は、主に家庭用の花壇,菜園,庭園等の作業で使用されるが、農業や工業向け等の作業用手袋としても勿論使用できる。
【符号の説明】
【００３２】
１                作業用手袋
２                手袋本体
２ａ              原手
２ｂ              コーティング皮膜
２Ｓ              手の甲側表面
２Ｆ              手のひら側表面
２Ｋ              手背
２３              手のひらの側縁
２４              親指部
２５              人差し指部
２６              中指部
２７              薬指部
２８              小指部
３                突出部材
３１              基端部
３１Ａ            手の甲側基端部
３１Ｂ            手のひら側基端部
３１Ｊ            関節部位被着部分
３１ＲＴ          領域
３２              凹部
３４              側方張出部
３４１            張出し端縁
３５              突出部
３６              舌片状体
ＦＫ              第一関節相当部位
ＳＫ              第二関節相当部位
ＴＫ              第三関節相当部位
ε                隙間
【図１】
0003168241.tif 000003
【図２】
0003168241.tif 000004
【図３】
0003168241.tif 000005
【図４】
0003168241.tif 000006
【図５】
0003168241.tif 000007
【図６】
0003168241.tif 000008
【図７】
0003168241.tif 000009
【図８】
0003168241.tif 000010
【図９】
0003168241.tif 000011
【図１０】
0003168241.tif 000012
【図１１】
0003168241.tif 000013
【図１２】
0003168241.tif 000014
【図１３】
0003168241.tif 000015
【図１４】
0003168241.tif 000016
【図１５】
0003168241.tif 000017